(57)【要約】      （修正有）【課題】衣類に出来る毛玉を取り除き即これらの毛玉をケース内に回収蓄積する毛玉集塵ケースを提供する。【解決手段】本体ケース１は、該ケース１の一箇所を正面開口部とし、該ケース１正面開口先端部底面横手方向に帯状の傾斜パイル３を毛足を該ケース１内側方向に向けて設け、該ケース１正面上面部に一定の長さの誘導溝を設けて構成され、スライド板２は、先端部に傾斜パイル３を板の横手方向にその毛足が本体ケース１開口先端部底面内側の傾斜パイル３と同方向に接するように設け、該スライド板２は本体ケース１の中を内外に移動させるつまみ４にて本体ケース１の誘導溝に接続して構成された集塵ケースであって、スライド板２の先端部に薄い金属のカッター１０を設けた。【選択図】図３
0003218032.tif 000002
【実用新案登録請求の範囲】
【請求項１】
本体ケース（１）は、該ケース面の一箇所を正面開口部とし、該ケース正面開口部先端下部底面横手方向に帯状の傾斜パイルを毛足を該ケース内側方向に向けて設け、該ケース正面上面部に一定の長さの誘導溝を設けて構成されてある本体ケースとし、スライド板は該スライド板の先端部に傾斜パイルを板の横手方向にその毛足が本体ケース底面内側に対面するように設けて形成され、該スライド板は本体ケースの中を内外に移動させるつまみにて本体ケースの誘導溝に接続合体して構成された集塵ケース（実新登録第３１４４１４７号）において、スライド板の先端部にカッターを設けた毛玉集塵ケース。
【請求項２】
集塵ケースの上面が開閉自在の天蓋とする構成とした請求項１に記載の毛玉集塵ケース。
【考案の詳細な説明】
【技術分野】
【０００１】本考案は衣類の毛玉を取り除き即毛玉をケース内に回収蓄積する毛玉集塵ケースに関するものである。
【背景技術】
【０００２】従来衣類にできる毛玉、特にニット製品などにおいて毛玉を取り除くため硬い毛ブラシや電動・電池毛玉取りブラシが使用されていた。
【考案の開示】
【考案が解決しようとする課題】
【０００３】しかし硬い毛ブラシで毛玉を取り除くと毛玉は衣類の繊維と絡みあっているため該繊維を強制的に引きはなすこととなり生地をいためていた。
また電動・電池毛取りブラシでは常時携帯することも出来ず不便であった。
本考案はケース本体を小型化し日常携帯して必要な時毛玉も塵も一緒に取り除き同時にケース内に回収蓄積する毛玉集塵ケースを提供することにある。
【課題を解決するための手段】
【０００４】上記の目的を達成するため、本考案の毛玉集塵ケースは、本体ケースの一箇所を開口部とし該ケース開口部先端底面内側横手方向に帯状の傾斜パイルの毛足を該ケース内側方向に向けて設け、スライド板は該スライド板の先端部に本体ケース開口部底面内側のパイルに摺接すべく帯状の傾斜パイルを該スライド板の横手方向に沿って設けて形成され、本体ケースの誘導溝にスライド板をつまみ軸にて接続し本体ケースと合体して集塵ケースを構成する。本体ケース上面誘導溝より突出したつまみを操作し本体ケース内のスライド板を内外に移動させることにより、スライド板先端部に設けられた傾斜パイルで塵を絡めとりケース内にこれを回収蓄積する集塵ケース（実用新案登録第３１４４１４７号）以下集塵ケースという。
本考案は該集塵ケーススライド板の先端部にカッターを設け該カッターにて衣類の毛玉を取り除きスライド板に設けられた傾斜パイルに絡めとり同時に集塵ケース内に回収蓄積することが出来る毛玉集塵ケース。
【考案の効果】
【０００５】集塵ケース（実新登録第３１４４１４７号）本体に付属するスライド板（２）の先端部にカッター（１０）を設けたことにより毛玉の絡んだ繊維を切断し衣類の生地を大きく損傷することなく毛玉を取り除くことが出来同時に周りに毛玉や塵を散らかすことなくスライド板（２）の傾斜パイル（３ａ，３ｂ）に絡めとりケース内に回収蓄積することが可能になった。
【考案を実施するための最良の形態】
【０００６】集塵ケース（実新登録第３１４４１４７号）本体（１）に設けられたスライド板（２）の先端部にカッター（１０）を設けたことを特徴とする毛玉集塵ケース。
【実施例】
【０００７】実施例について詳細に説明する。以下本考案の実施を示す図であり、〔図１〕はその正面図、〔図２〕は上平面図、〔図３〕は側断面図
【産業上の利用可能性】
【０００８】衣類、ニット製品などの毛玉を効率よくとるため、集塵ケース（実新登録第３１４４１４７号）にスライド板先端部にカッターを設けスケールアップする事でより多くの毛玉を短時間で回収蓄積することが可能になる。
【図面の簡単な説明】
【図３】本考案の断面図
【符号の説明】  １  本体ケース
２  スライド板
３ａ，３ｂ  毛足の短い傾斜パイル
４  つまみ
５  誘導溝
１０  カッター
【図１】
0003218032.tif 000003
【図２】
0003218032.tif 000004
【図３】
0003218032.tif 000005
【手続補正書】
【提出日】平成30年6月22日(2018.6.22)
【手続補正１】
【補正対象書類名】実用新案登録請求の範囲
【補正対象項目名】全文
【補正方法】変更
【補正の内容】
【実用新案登録請求の範囲】
【請求項１】
本体ケース（１）は、該ケースの一箇所を正面開口部とし、該ケース正面開口先端部底面横手方向に帯状の傾斜パイル（３ａ）を毛足を該ケース内側方向に向けて設け、該ケース正面上面部に一定の長さの誘導溝（５）を設けて構成されてある本体ケースとし、スライド板（２）は、該スライド板の先端部に傾斜パイル（３ｂ）を板の横手方向にその毛足が本体ケース開口先端部底面内側の傾斜パイル（３ａ）と同方向に接するように設け、該スライド板は本体ケースの中を内外に移動させるつまみ（４）にて本体ケースの誘導溝に接続して構成された集塵ケースにおいてスライド板（２）の先端部に薄い金属のカッター（１０）を設けた毛球集塵ケース。
【請求項２】
本体ケースの上面部が開閉自在の天蓋とする請求項１に記載の毛球集塵ケース。
【手続補正２】
【補正対象書類名】明細書
【補正対象項目名】全文
【補正方法】変更
【補正の内容】
【考案の詳細な説明】
【技術分野】
【０００１】  本考案は衣類などの毛球を取り除き即毛球をケース内に蓄積する毛球集塵ケースに関するものである。
【背景技術】
【０００２】  従来、衣類などに出来る毛球、特にニットなど繊維の毛羽立った服において毛球を取り除くとき硬い毛ブラシや電動の毛球取りブラシが使用されていた。
【考案の開示】
【考案が解決しようとする課題】
【０００３】  硬いブラシで毛球を取り除こうとすると毛球は衣類の繊維と絡み合っているため強引に取り除くと生地をいため、また電動の毛球取りブラシでは容易に携帯することも出来ず不便であった。本考案はケース本体を小型化し日常携帯して必要なときに毛球も塵も同時にケース内に蓄積する毛球集塵ケースを提供することにある。
【課題を解決するための手段】
【０００４】  上記の目的を達成するため、本考案の本体ケース（１）は該ケースの一箇所を正面開口部とし該ケース正面開口先端部底面横手方向に帯状の傾斜パイル（３ａ）を毛足を該ケース内側方向に向けて設け、該ケース正面上面部に一定の長さの誘導溝（５）を設けて構成されてある本体ケースとし、スライド板（２）は該スライド板の先端部に傾斜パイル（３ｂ）を板の横手方向にその毛足が本体ケース正面開口先端部底面内側の傾斜パイル（３ａ）と同方向に接するように設け、該スライド板は本体ケースの中を内外に移動するるつまみ（４）にて本体ケースの誘導溝に接続して構成された集塵ケースにおいてスライド板（２）の先端部横手方向に薄い金属カッター（１０）を設けた毛球集塵ケース。
【考案の効果】
【０００５】  上記集塵ケースにおいて該本体ケース誘導溝に接続して設けられているスライド板の先端部横手方向に薄い金属カッターを設けたことにより生地にできた毛球の絡んだ繊維を切断することができ衣類などの生地を傷めることなくスライド板に設けられている傾斜パイルにて毛球を絡めとりケース内に蓄積することが可能になった。
【考案を実施するための最良の形態】
【０００６】  集塵ケース（１）に設けられたスライド板（２）の先端部横手方向に薄い金属カッターを設けたことを特徴とする毛球集塵ケース。
【実施例】
【０００７】  実施例について詳細に説明する。「図１」はその正面図、「図２」はその上平面図、「図３」はその側断面図。
【産業上の利用可能性】
【０００８】。衣類などに出来る毛球を効率よく取り除くため集塵ケースをスケールアップ、スケールダウンすることで使い分けが出来る。
【図面の簡単な説明】
【０００９】
【図１】本考案の正面図である。
【図２】本考案の上平面図である。
【図３】本考案の側断面図である。
【符号の説明】
【００１０】  １本体ケース
２スライド板
３ａ、３ｂ毛足の短い傾斜パイル
４つまみ
５誘導溝
１０薄い金属カッター